(57)【要約】【課題】沸点が低い麻酔薬であっても、所定量の麻酔薬を精度高く気化室に送液可能な麻酔装置を提供する。【解決手段】麻酔薬タンク２１、２２に貯留された液状の麻酔薬を定量ポンプ４で気化室５に送り、麻酔薬を気化して患者に供給する麻酔装置であって、定量ポンプ４の吐出口４２までの上流側において麻酔薬を冷却し、定量ポンプ４内の麻酔薬を液状に維持する冷却器３を備える。【選択図】図１
2020130415.tif 000002
【特許請求の範囲】
【請求項１】
麻酔薬タンクに貯留された液状の麻酔薬を定量ポンプで気化室に送り、前記麻酔薬を気化して患者に供給する麻酔装置であって、
前記定量ポンプの吐出口までの上流側において前記麻酔薬を冷却し、前記定量ポンプ内の前記麻酔薬を液状に維持する冷却手段を備える、
ことを特徴とする麻酔装置。
【請求項２】
前記定量ポンプは、吸込口と吐出口が設けられたシリンダと、該シリンダ内を軸心方向に進退動し切り欠き部が設けられたプランジャと、を備え、前記プランジャが軸心周りに回転しながら進退動することで、前記切り欠き部が前記吸込口に対向した際に前記麻酔薬を前記シリンダ内に吸い込み、前記切り欠き部が前記吐出口に対向した際に前記シリンダ内の前記麻酔薬を吐き出すポンプであり、
前記切り欠き部が前記吐出口を通過する際の回転速度が、他の回転時の速度よりも速く設定されている、
ことを特徴とする請求項１に記載の麻酔装置。
【請求項３】
前記定量ポンプの吸込口が吸込管を介して前記麻酔薬タンク側に接続され、前記定量ポンプの吐出口が吐出管を介して前記気化室側に接続され、
前記吐出管の管内抵抗が前記吸込管の管内抵抗よりも大きく設定されている、
ことを特徴とする請求項２に記載の麻酔装置。
【請求項４】
複数の前記麻酔薬タンクを備え、所定の麻酔薬が貯留された麻酔薬タンクが選択された場合に、前記冷却手段を作動させる、
ことを特徴とする請求項１から３のいずれか１項に記載の麻酔装置。
【請求項５】
前記冷却手段の放熱面が前記気化室と隣接して配設されている、
ことを特徴とする請求項１から４のいずれか１項に記載の麻酔装置。
【発明の詳細な説明】
【技術分野】
【０００１】
この発明は、液状の麻酔薬を気化して患者に供給、投与する麻酔装置に関する。
【背景技術】
【０００２】
麻酔薬の投与量をより適正に制御するなどのために、液状の麻酔薬を気化させて患者に供給する麻酔装置が従来から使用されている（特許文献１および非特許文献１参照）。この麻酔装置は、麻酔薬タンクに貯留されたセボフルランやイソフルランなどの麻酔薬（麻酔液）が、定量ポンプによって気化室に搬送、送液される。一方、酸素、亜酸化窒素および空気を混合したフレッシュガスが気化室に供給され、気化室で気化された麻酔薬とフレッシュガスとが混合されて、患者に供給されるものである。
【０００３】
また、このような麻酔装置においては、微少量の麻酔薬（麻酔液）を高精度に所定量だけ気化室に送液する必要がある。このため、定量ポンプをステッピングモータで駆動し、このステッピングモータの回転運動を定量ポンプのプランジャの往復運動と回転運動に変えて送液する機構となっている。すなわち、プランジャの端部に切り欠き部が設けられ、定量ポンプのシリンダの側壁に吸込口と吐出口とが設けられている。そして、プランジャが回転しながら進退動（往復運動）することで、切り欠き部が吸込口に対向した際に麻酔薬をシリンダ内に吸い込み、切り欠き部が吐出口に対向した際にシリンダ内の麻酔薬を吐き出すものである。
【先行技術文献】
【特許文献】
【０００４】
【特許文献１】特開２０１６−１６６５５９号公報
【非特許文献】
【０００５】
【非特許文献１】沖田一成；「電子式麻酔ガスデリバリー装置を搭載した使いやすい麻酔器」、医器学Vol.69，No.8（1999）
【発明の概要】
【発明が解決しようとする課題】
【０００６】
ところで、従来は主として、セボフルランやイソフルランなどの沸点が高い（例えば、約５０℃以上の）麻酔薬が使用されていた。このため、麻酔薬タンクからの麻酔薬（麻酔液）が、定量ポンプから吐出されるまでの間に気化することはなかった。しかしながら、近年、デスフルランなどの沸点が低い（例えば、約２０℃強の）麻酔薬が使用され始めており、このような麻酔薬を従来の麻酔装置で使用する場合、麻酔薬が定量ポンプから吐出されるまでの間に気化してしまう。この結果、所定量の麻酔薬を定量ポンプで精度高く気化室に送液することが困難となる。
【０００７】
すなわち、麻酔薬の沸点が高く液状のままの場合には、図７に示すプランジャ１０１の切り欠き部（デッドスペース）１０１ａ内の麻酔薬Ｍ２は、この切り欠き部１０１ａに留まったままであり、プランジャ１０１の進退動による体積変化分だけの麻酔薬Ｍ１が吐出される。しかしながら、沸点が低い麻酔薬の場合には、切り欠き部１０１ａがシリンダ１０２の吐出口１０２ａに対向した際に、切り欠き部１０１ａ内の麻酔薬Ｍ２が蒸発・気化して体積が膨張し、麻酔薬Ｍ１のみではなく麻酔薬Ｍ２の一部または全部も吐出してしまう場合がある。つまり、所定量の麻酔薬を精度高く気化室に送液できなくなる、という問題が生じる。
【０００８】
そこでこの発明は、沸点が低い麻酔薬であっても、所定量の麻酔薬を精度高く気化室に送液可能な麻酔装置を提供することを目的とする。
【課題を解決するための手段】
【０００９】
上記課題を解決するために、請求項１に記載の発明は、麻酔薬タンクに貯留された液状の麻酔薬を定量ポンプで気化室に送り、前記麻酔薬を気化して患者に供給する麻酔装置であって、前記定量ポンプの吐出口までの上流側において前記麻酔薬を冷却し、前記定量ポンプ内の前記麻酔薬を液状に維持する冷却手段を備える、ことを特徴とする。
【００１０】
請求項２に記載の発明は、請求項１に記載の麻酔装置において、前記定量ポンプは、吸込口と吐出口が設けられたシリンダと、該シリンダ内を軸心方向に進退動し切り欠き部が設けられたプランジャと、を備え、前記プランジャが軸心周りに回転しながら進退動することで、前記切り欠き部が前記吸込口に対向した際に前記麻酔薬を前記シリンダ内に吸い込み、前記切り欠き部が前記吐出口に対向した際に前記シリンダ内の前記麻酔薬を吐き出すポンプであり、前記切り欠き部が前記吐出口を通過する際の回転速度が、他の回転時の速度よりも速く設定されている、ことを特徴とする。
【００１１】
請求項３に記載の発明は、請求項２に記載の麻酔装置において、前記定量ポンプの吸込口が吸込管を介して前記麻酔薬タンク側に接続され、前記定量ポンプの吐出口が吐出管を介して前記気化室側に接続され、前記吐出管の管内抵抗が前記吸込管の管内抵抗よりも大きく設定されている、ことを特徴とする。
【００１２】
請求項４に記載の発明は、請求項１から３に記載の麻酔装置において、複数の前記麻酔薬タンクを備え、所定の麻酔薬が貯留された麻酔薬タンクが選択された場合に、前記冷却手段を作動させる、ことを特徴とする。
【００１３】
請求項５に記載の発明は、請求項１から４に記載の麻酔装置において、前記冷却手段の放熱面が前記気化室と隣接して配設されている、ことを特徴とする。
【発明の効果】
【００１４】
請求項１の発明によれば、沸点が低い麻酔薬であっても、冷却手段によって定量ポンプ内の麻酔薬が液状に維持される。このため、定量ポンプ内で麻酔薬が気化することがなく、定量ポンプで所定量の麻酔薬を精度高く気化室に送液することが可能となる。
【００１５】
請求項２の発明によれば、プランジャの切り欠き部が吐出口を通過する際の回転速度が他よりも速く設定されているため、切り欠き部が吐出口に対向する時間が短くなる。このため、切り欠き部が吐出口と対向する間に切り欠き部内の麻酔薬が気化してしまうのを防止、抑制することができ、この結果、定量ポンプで所定量の麻酔薬をより精度高く気化室に送液することが可能となる。
【００１６】
請求項３の発明によれば、吐出管の管内抵抗が吸込管の管内抵抗よりも大きく設定されているため、麻酔薬が吐出管を通過する際の抵抗・圧力が高くなり、麻酔薬が過剰に吐出管から気化室側に流れるのを防止、抑制することが可能となる。この結果、定量ポンプで所定量の麻酔薬をより精度高く気化室に送液することが可能となる。
【００１７】
請求項４の発明によれば、所定の麻酔薬、例えば、沸点が低い麻酔薬が貯留された麻酔薬タンクが選択された場合に、冷却手段が作動される。換言すると、沸点が低い麻酔薬以外の麻酔薬、例えば、沸点が高い麻酔薬が貯留された麻酔薬タンクが選択された場合には、冷却手段が作動されないため、冷却手段が無駄に作動するのを防止して、省力化することが可能となる。
【００１８】
請求項５の発明によれば、冷却手段の放熱面が気化室と隣接して配設されているため、冷却手段からの放熱を気化室の熱源として利用することが可能となり、省力化することが可能となる。
【図面の簡単な説明】
【００１９】
【図１】この発明の実施の形態に係る麻酔装置を示す概略構成図である。
【図２】図１の麻酔装置の定量ポンプのプランジャの切り欠き部が、吸込口に対向した状態を示す断面図である。
【図３】図１の麻酔装置の定量ポンプのプランジャの切り欠き部が、吸込口を通過した状態を示す断面図である。
【図４】図１の麻酔装置の定量ポンプのプランジャの切り欠き部が、吐出口に対向した状態を示す断面図である。
【図５】図１の麻酔装置の定量ポンプのプランジャ状態を示す図（ａ）〜（ｄ）と、定量ポンプの吸吐状態を示す図（ｅ）と、ステッピングモータの駆動パルスのタイムチャート（ｆ）である。
【図６】図１の麻酔装置の制御部周辺を示す概略構成ブロック図である。
【図７】従来の定量ポンプのプランジャの切り欠き部が、吐出口に対向した状態を示す断面図である。
【発明を実施するための形態】
【００２０】
以下、この発明を図示の実施の形態に基づいて説明する。
【００２１】
図１〜図６は、この発明の実施の形態を示し、図１は、この実施の形態に係る麻酔装置１を示す概略構成図である。この麻酔装置１は、麻酔薬タンク２１、２２に貯留された液状の麻酔薬を定量ポンプ４で気化室５に送り、麻酔薬を気化して患者に供給する装置であり、主として、冷却器（冷却手段）３を備える点で従来の麻酔装置と構成が異なり、従来の麻酔装置と同等の構成については、その説明を省略、概説する。
【００２２】
麻酔薬タンク２１、２２は、液状の麻酔薬を貯留するタンクであり、第１の麻酔薬タンク２１には、セボフルランなどの沸点が高い（例えば、約５０℃以上の）麻酔薬が貯留され、第２の麻酔薬タンク２２には、デスフルランなどの沸点が低い（例えば、約２０℃強の）麻酔薬が貯留されている。この２つの麻酔薬タンク２１、２２が、スイッチングバルブ（切替弁）２３を介して定量ポンプ４側に接続されている。そして、後述するようにしてスイッチングバルブ２３が切り替えられることで、第１の麻酔薬タンク２１内の麻酔薬または第２の麻酔薬タンク２２内の麻酔薬が、定量ポンプ４で吸い込まれるようになっている。
【００２３】
定量ポンプ４は、麻酔薬タンク２１、２２内の液状の麻酔薬を所定量だけ気化室５に送るバルブレスのプランジャポンプであり、図２に示すように、シリンダ４０と、このシリンダ４０内に挿入されたプランジャ４３と、を備える。すなわち、シリンダ４０は、有底の円筒状で、シリンダ４０の側壁を貫通する吸込口４１と吐出口４２が、互いに対向して底面側に設けられている。プランジャ４３は、円柱状で、自由端部側（シリンダ４０の底面側）に側面をＤカット状に切り欠いた切り欠き部４３ａが設けられている。
【００２４】
そして、後述するようにして、プランジャ４３が軸心周りに回転しながら軸心方向に進退動（往復運動）することで、麻酔薬の吸い込みおよび吐き出しを繰り返す。すなわち、図２に示すように、プランジャ４３が上昇しながら切り欠き部４３ａが吸込口４１に対向する際に、麻酔薬タンク２１、２２側の麻酔薬をシリンダ４０内に吸い込む。そして、図３に示すように、切り欠き部４３ａが吸込口４１を通過した後に、図４に示すように、プランジャ４３が降下しながら切り欠き部４３ａが吐出口４２に対向する際に、シリンダ４０内の麻酔薬を気化室５側に吐き出す。このようにして、切り欠き部４３ａを有するプランジャ４３が回転および進退動することで、プランジャ４３が吸込口４１および吐出口４２を開閉するため、バルブが不要となっている。
【００２５】
このような定量ポンプ４は、図５（ａ）〜（ｄ）に示すように、ステッピングモータ６１によって駆動されるようになっている。すなわち、ステッピングモータ６１の出力軸に円筒形状のクランク６２が接続され、このクランク６２に設けられた軸受６２ａに、連結ピン６２ｂを介して定量ポンプ４のプランジャ４３の上端部が接続されている。ここで、ステッピングモータ６１の出力軸の軸心とプランジャ４３の軸心とが偏心するように（平行しないで所定のなす角θを有するように）、接続されている。これにより、ステッピングモータ６１の出力軸つまりクランク６２が一定方向に回転すると、連結ピン６２ｂの位置、向きが移動して、プランジャ４３が回転すると同時にシリンダ４０内を進退動するものである。このような偏心構造により、プランジャ４３の軸方向のストローク長は、ステッピングモータ６１の出力軸の軸心とプランジャ４３の軸心とのなす角θに応じて変化する。従って、なす角θを変えることで、定量ポンプ４の吐出量を変更・調整可能となっている。
【００２６】
このような定量ポンプ４から吐き出された麻酔薬が、ヒーターを備えた気化室５に送られて、フレッシュガスと混合される。すなわち、定量ポンプ４の吐出口４２に吐出管５１の一端部が接続され、吐出管５１の他端部が気化室５の混合管５０の上流側に接続され、さらに、混合管５０の上流端には、フレッシュガス管５２の一端部が接続されている。一方、混合管５０の下流端には、麻酔ガス管５３の一端部が接続されている。
【００２７】
そして、定量ポンプ４からの麻酔薬が、混合管５０内に送られヒーターで加熱されて気化するとともに、フレッシュガス管５２の他端部から送られたフレッシュガス（例えば、酸素、亜酸化窒素および空気の混合ガス）と混合されて、麻酔ガスとなる。この麻酔ガスが麻酔ガス管５３の他端部から患者に供給されるものである。また、麻酔ガス管５３には、麻酔ガスの麻酔濃度を測定する濃度測定器５４が設けられ、この濃度測定器５４の測定結果に基づいて、定量ポンプ４の吐出量が変更・調整されるようになっている。
【００２８】
このような構成において、麻酔薬タンク２１、２２から定量ポンプ４の吐出口４２までの上流側ＬＥで麻酔薬を冷却し、定量ポンプ４内の麻酔薬を液状に維持する冷却器３を備える。具体的に、この実施の形態では、スイッチングバルブ２３と定量ポンプ４の吸込口４１との間に、冷却器３が設けられている。なお、図１の符号ＧＥは、吐出口４２よりも下流側を示す。
【００２９】
この冷却器３は、冷却管３０と、ペルチェ素子（熱電素子）などの冷却素子と、を備える。冷却管３０の上流端は、送液管２４によってスイッチングバルブ２３の出力側と接続され、冷却管３０の下流端は、吸込管３１によって定量ポンプ４の吸込口４１と接続されている。このようにして、定量ポンプ４の吸込口４１が、吸込管３１、冷却器３および送液管２４を介して麻酔薬タンク２１、２２に接続されている。
【００３０】
そして、送液管２４から冷却管３０内に送られた麻酔薬が、冷却素子によって冷却され、吸込管３１を介して定量ポンプ４内に吸い込まれる。このとき、定量ポンプ４内の麻酔薬が液状に維持されるように、より具体的には、プランジャ４３の切り欠き部４３ａが吐出口４２に対向しても切り欠き部４３ａ内の麻酔薬が気化しないように、冷却器３による冷却温度、冷却能力が設定されている。
【００３１】
このような冷却器３は、その放熱面が気化室５と隣接するように配設されている。すなわち、冷却器３の冷却素子から放熱される放熱面が、気化室５の混合管５０の配設面と接近・面接触するように、冷却器３が配置されている。これにより、冷却器３からの放熱が混合管５０に伝熱されて、混合管５０内の麻酔薬などが効率的に加熱されるようになっている。
【００３２】
また、吐出管５１の内径は、吸込管３１の内径よりも小さく設定されている。具体的には、所定量の麻酔薬が流れる範囲内において、吐出管５１の内径ができるだけ小さく設定されている。例えば、吐出管５１の内径は、吸込管３１の内径の１／６程度に設定されている。このような内径により、吐出管５１の管内抵抗が吸込管３１の管内抵抗よりも大きく設定されている。ここで、吐出管５１の内径を小さくするのに代えて、あるいは、小さくするのに加えて、吐出管５１の管内抵抗が大きくなるように、吐出管５１の断面形状や内面粗さを変えてもよい。
【００３３】
また、図６に示すように、制御部７１と操作パネル７２とを備え、操作パネル７２からの入力指令に基づいて、スイッチングバルブ２３や冷却器３、ステッピングモータ６１などを制御部７１で制御するようになっている。ここで、従来と異なる制御のみについて、以下に説明する。
【００３４】
まず、操作パネル７２で麻酔薬つまり麻酔薬タンク２１、２２が選択されると、その麻酔薬タンク２１、２２が送液管２４と連通するようにスイッチングバルブ２３を切り替える。さらに、所定の麻酔薬つまり所定の麻酔薬タンク２１、２２が選択された場合には、冷却器３を作動・起動させる。具体的には、沸点が低い麻酔薬が貯留された第２の麻酔薬タンク２２が選択された場合に、冷却器３を作動させ、沸点が高い麻酔薬が貯留された第１の麻酔薬タンク２１が選択された場合には、冷却器３を作動停止する。
【００３５】
また、操作パネル７２で所定の麻酔薬が選択された場合には、プランジャ４３の切り欠き部４３ａが吐出口４２を通過する際の回転速度が、他の回転時の速度よりも速くなるようにステッピングモータ６１を制御する（第２の制御を行う）。すなわち、図５（ｅ）、（ｆ）に示すように、切り欠き部４３ａが吸込口４１に対向して麻酔薬をシリンダ４０内に吸い込む時間に比べて、切り欠き部４３ａが吐出口４２に対向してシリンダ４０内の麻酔薬を吐き出す時間ができるだけ短くなるように、ステッピングモータ６１の駆動パルスを制御する。具体的には、吸込時には駆動パルス幅（パルスの時間間隔）を長くし、吐出時には駆動パルス幅を短くする。これにより、プランジャ４３が回転運動および往復運動して、切り欠き部４３ａが吐出口４２を通過（対向）する時間が、切り欠き部４３ａが吸込口４１を通過（対向）する時間よりも著しく短くなる。
【００３６】
一方、操作パネル７２で所定の麻酔薬以外の麻酔薬が選択された場合には、通常の制御つまり第１の制御を行う。ここで、第１の制御とは、ステッピングモータ６１の駆動パルスを常時一定間隔とし、プランジャ４３が一定の速度で回転運動および往復運動を行うものである。
【００３７】
次に、このような構成の麻酔装置１の作用および、麻酔装置１による麻酔供給方法について説明する。ここで、第１の麻酔薬タンク２１に沸点が周囲温度（室温）より高いセボフルランが貯留され、第２の麻酔薬タンク２２に沸点が室温より低いデスフルラン（所定の麻酔薬）が貯留されている場合について、主として説明する。
【００３８】
まず、操作パネル７２でセボフルランつまり第１の麻酔薬タンク２１が選択されると、制御部７１によってスイッチングバルブ２３が第１の麻酔薬タンク２１に切り替えられるとともに、冷却器３が作動停止される。続いて、第１の制御でステッピングモータ６１が駆動され、定量ポンプ４のプランジャ４３が一定の速度で回転運動および往復運動を行う。これにより、第１の麻酔薬タンク２１内のセボフルランが気化室５に送られて気化されるとともに、フレッシュガス管５２からのフレッシュガスと混合されて麻酔ガスとなり、この麻酔ガスが麻酔ガス管５３を介して患者に供給、投与される。ここで、セボフルランは、沸点が高いため、定量ポンプ４内において液状のまま維持される。
【００３９】
一方、操作パネル７２でデスフルランつまり第２の麻酔薬タンク２２が選択されると、制御部７１によってスイッチングバルブ２３が第２の麻酔薬タンク２２に切り替えられるとともに、冷却器３が作動される。続いて、第２の制御でステッピングモータ６１が駆動され、切り欠き部４３ａが吐出口４２を速く通過するように、プランジャ４３が回転運動および往復運動を行う。これにより、第２の麻酔薬タンク２２内のデスフルランが、冷却器３で冷却されて定量ポンプ４内において液状に維持される。そして、デスフルランが気化室５に送られて気化されるとともに、フレッシュガス管５２からのフレッシュガスと混合されて麻酔ガスとなり、この麻酔ガスが麻酔ガス管５３を介して患者に供給される。
【００４０】
このように、この麻酔装置１および麻酔供給方法によれば、沸点が低い麻酔薬であっても、冷却器３によって定量ポンプ４内の麻酔薬が液状に維持される。このため、定量ポンプ４内で麻酔薬が気化することがなく、定量ポンプ４で所定量の麻酔薬を精度高く気化室５に送液することが可能となる。
【００４１】
また、プランジャ４３の切り欠き部４３ａが吐出口４２を通過する際の回転速度が他よりも速く設定されているため、切り欠き部４３ａが吐出口４２に対向する時間が短くなる。このため、切り欠き部４３ａが吐出口４２と対向する間に切り欠き部４３ａ内の麻酔薬が気化してしまうのを防止、抑制することができ、この結果、定量ポンプ４で所定量の麻酔薬をより精度高く気化室５に送液することが可能となる。
【００４２】
しかも、吐出管５１の管内抵抗が吸込管３１の管内抵抗よりも大きく設定されているため、麻酔薬が吐出管５１を通過する際の抵抗・圧力が高くなり、麻酔薬が過剰に吐出管５１から気化室５側に流れるのを防止、抑制することが可能となる。この結果、定量ポンプ４で所定量の麻酔薬をより精度高く気化室５に送液することが可能となる。
【００４３】
一方、所定の麻酔薬、つまり、沸点が低い麻酔薬が貯留された第２の麻酔薬タンク２２が選択された場合にのみ、冷却器３が作動される。換言すると、沸点が低い麻酔薬以外の麻酔薬、例えば、沸点が高い麻酔薬が貯留された第１の麻酔薬タンク２１が選択された場合には、冷却器３が作動されないため、冷却器３が無駄に作動するのを防止して、省力化することが可能となる。
【００４４】
さらに、冷却器３の放熱面が気化室５と隣接・面接触して配設されているため、冷却器３からの放熱を気化室５の熱源として利用する（放熱で混合管５０を加熱する）ことが可能となり、気化室５の消費電力を省力化することが可能となる。
【００４５】
以上、この発明の実施の形態を詳述してきたが、具体的な構成はこの実施の形態に限られるものではなく、この発明の要旨を逸脱しない範囲の設計の変更等があっても、この発明に含まれる。例えば、上記の実施の形態では、２種類の麻酔薬つまり２つの麻酔薬タンク２１、２２を備える場合について説明したが、３つ以上の麻酔薬および麻酔薬タンクを備えてもよい。
【００４６】
また、スイッチングバルブ２３と定量ポンプ４の吸込口４１との間に、冷却器３を設けているが、上流側ＬＥであればどこに設けてもよい。例えば、定量ポンプ４に接するように冷却器３を配置し、定量ポンプ４を直接冷却するようにしてもよい。また、沸点が低い麻酔薬の場合にのみ、冷却器３を作動させて第２の制御でステッピングモータ６１を駆動させているが、常に、冷却器３を作動させたり第２の制御でステッピングモータ６１を駆動させたりしてもよい。
【符号の説明】
【００４７】
１        麻酔装置
２１      第１の麻酔薬タンク
２２      第２の麻酔薬タンク
２３      スイッチングバルブ（切替弁）
３        冷却器（冷却手段）
３０      冷却管
３１      吸込管
４        定量ポンプ
４０      シリンダ
４１      吸込口
４２      吐出口
４３      プランジャ
４３ａ    切り欠き部
５        気化室
５０      混合管
５１      吐出管
５４      濃度測定器
６１      ステッピングモータ
６２      クランク
７１      制御部
７２      操作パネル
ＬＥ      上流側
ＧＥ      下流側
【図１】
2020130415.tif 000003
【図２】
2020130415.tif 000004
【図３】
2020130415.tif 000005
【図４】
2020130415.tif 000006
【図５】
2020130415.tif 000007
【図６】
2020130415.tif 000008
【図７】
2020130415.tif 000009
【手続補正書】
【提出日】令和1年5月24日(2019.5.24)
【手続補正１】
【補正対象書類名】特許請求の範囲
【補正対象項目名】全文
【補正方法】変更
【補正の内容】
【特許請求の範囲】
【請求項１】
麻酔薬タンクに貯留された液状の麻酔薬を定量ポンプで気化室に送り、前記麻酔薬を気化して患者に供給する麻酔装置であって、
前記定量ポンプの吐出口までの上流側において前記麻酔薬を冷却し、前記定量ポンプ内の前記麻酔薬を液状に維持する冷却手段を備え、
前記定量ポンプは、吸込口と吐出口が設けられたシリンダと、該シリンダ内を軸心方向に進退動し切り欠き部が設けられたプランジャと、を備え、前記プランジャが軸心周りに回転しながら進退動することで、前記切り欠き部が前記吸込口に対向した際に前記麻酔薬を前記シリンダ内に吸い込み、前記切り欠き部が前記吐出口に対向した際に前記シリンダ内の前記麻酔薬を吐き出すポンプであり、
前記切り欠き部が前記吐出口を通過する際の回転速度が、他の回転時の速度よりも速く設定されている、
ことを特徴とする麻酔装置。
【請求項２】
前記定量ポンプの吸込口が吸込管を介して前記麻酔薬タンク側に接続され、前記定量ポンプの吐出口が吐出管を介して前記気化室側に接続され、
前記吐出管の管内抵抗が前記吸込管の管内抵抗よりも大きく設定されている、
ことを特徴とする請求項１に記載の麻酔装置。
【請求項３】
複数の前記麻酔薬タンクを備え、所定の麻酔薬が貯留された麻酔薬タンクが選択された場合に、前記冷却手段を作動させる、
ことを特徴とする請求項１または２に記載の麻酔装置。
【請求項４】
前記冷却手段の放熱面が前記気化室と隣接して配設されている、
ことを特徴とする請求項１から３のいずれか１項に記載の麻酔装置。
【手続補正２】
【補正対象書類名】明細書
【補正対象項目名】０００９
【補正方法】変更
【補正の内容】
【０００９】
上記課題を解決するために、請求項１に記載の発明は、麻酔薬タンクに貯留された液状の麻酔薬を定量ポンプで気化室に送り、前記麻酔薬を気化して患者に供給する麻酔装置であって、前記定量ポンプの吐出口までの上流側において前記麻酔薬を冷却し、前記定量ポンプ内の前記麻酔薬を液状に維持する冷却手段を備え、前記定量ポンプは、吸込口と吐出口が設けられたシリンダと、該シリンダ内を軸心方向に進退動し切り欠き部が設けられたプランジャと、を備え、前記プランジャが軸心周りに回転しながら進退動することで、前記切り欠き部が前記吸込口に対向した際に前記麻酔薬を前記シリンダ内に吸い込み、前記切り欠き部が前記吐出口に対向した際に前記シリンダ内の前記麻酔薬を吐き出すポンプであり、前記切り欠き部が前記吐出口を通過する際の回転速度が、他の回転時の速度よりも速く設定されている、ことを特徴とする。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
請求項２に記載の発明は、請求項１に記載の麻酔装置において、前記定量ポンプの吸込口が吸込管を介して前記麻酔薬タンク側に接続され、前記定量ポンプの吐出口が吐出管を介して前記気化室側に接続され、前記吐出管の管内抵抗が前記吸込管の管内抵抗よりも大きく設定されている、ことを特徴とする。
【手続補正５】
【補正対象書類名】明細書
【補正対象項目名】００１２
【補正方法】変更
【補正の内容】
【００１２】
請求項３に記載の発明は、請求項１または２に記載の麻酔装置において、複数の前記麻酔薬タンクを備え、所定の麻酔薬が貯留された麻酔薬タンクが選択された場合に、前記冷却手段を作動させる、ことを特徴とする。
【手続補正６】
【補正対象書類名】明細書
【補正対象項目名】００１３
【補正方法】変更
【補正の内容】
【００１３】
請求項４に記載の発明は、請求項１から３に記載の麻酔装置において、前記冷却手段の放熱面が前記気化室と隣接して配設されている、ことを特徴とする。
【手続補正７】
【補正対象書類名】明細書
【補正対象項目名】００１５
【補正方法】変更
【補正の内容】
【００１５】
さらには、プランジャの切り欠き部が吐出口を通過する際の回転速度が他よりも速く設定されているため、切り欠き部が吐出口に対向する時間が短くなる。このため、切り欠き部が吐出口と対向する間に切り欠き部内の麻酔薬が気化してしまうのを防止、抑制することができ、この結果、定量ポンプで所定量の麻酔薬をより精度高く気化室に送液することが可能となる。
【手続補正８】
【補正対象書類名】明細書
【補正対象項目名】００１６
【補正方法】変更
【補正の内容】
【００１６】
請求項２の発明によれば、吐出管の管内抵抗が吸込管の管内抵抗よりも大きく設定されているため、麻酔薬が吐出管を通過する際の抵抗・圧力が高くなり、麻酔薬が過剰に吐出管から気化室側に流れるのを防止、抑制することが可能となる。この結果、定量ポンプで所定量の麻酔薬をより精度高く気化室に送液することが可能となる。
【手続補正９】
【補正対象書類名】明細書
【補正対象項目名】００１７
【補正方法】変更
【補正の内容】
【００１７】
請求項３の発明によれば、所定の麻酔薬、例えば、沸点が低い麻酔薬が貯留された麻酔薬タンクが選択された場合に、冷却手段が作動される。換言すると、沸点が低い麻酔薬以外の麻酔薬、例えば、沸点が高い麻酔薬が貯留された麻酔薬タンクが選択された場合には、冷却手段が作動されないため、冷却手段が無駄に作動するのを防止して、省力化することが可能となる。
【手続補正１０】
【補正対象書類名】明細書
【補正対象項目名】００１８
【補正方法】変更
【補正の内容】
【００１８】
請求項４の発明によれば、冷却手段の放熱面が気化室と隣接して配設されているため、冷却手段からの放熱を気化室の熱源として利用することが可能となり、省力化することが可能となる。